(57)【要約】【課題】  テレビ番組等の映像を録画する際、番組本編のみを選択的に録画再生する際に少なくとも一度はＣＭの視聴を義務付けることが可能な映像録画再生装置を提供する。【解決手段】  ＣＭの開始及び終了位置にチャプター点を付加して録画する録画部１２とチャプター点を付して録画した前記番組のストリームを記憶する記憶部１３と番組中の前記ＣＭを視聴済か否かの状況をＣＭ管理テーブル１６ａで管理するＣＭ視聴管理部１６とＣＭ管理テーブル１６ａをもとに記憶部１３に記憶された番組のストリームのうち番組の本編とＣＭのうち未視聴のＣＭとを選択的に再生して外部に表示させる再生部１５と再生部１５からの表示出力を受けて番組の本編を縮小表示する領域２０ａと前記ＣＭを静止画表示する領域２０ｂとを有する表示部２０とを有することを特徴とする映像録画再生装置。【選択図】  図１
2011066572.tif 000002
【特許請求の範囲】
【請求項１】
番組のストリームを受信するチューナと、
前記チューナから送られる前記番組のストリームの中の、ＣＭの開始及び終了位置にチャプター点を付加して録画する録画部と、
前記チャプター点を付して録画した前記番組のストリームを記憶する記憶部と、
前記番組中の前記ＣＭを視聴済か否かの状況をＣＭ管理テーブルで管理するＣＭ視聴管理部と
前記ＣＭ管理テーブルをもとに、前記記憶部に記憶された前記番組のストリームのうち、前記番組の本編と、前記ＣＭのうち未視聴のＣＭとを、選択的に再生して出力する再生部と、
前記録画部、前記ＣＭ視聴管理部及び前記再生部を制御する制御部と、
を有することを特徴とする映像録画再生装置。
【請求項２】
前記再生部からの出力を受けて、前記番組の前記本編を縮小表示する領域と、前記ＣＭを静止画表示する領域とを有する表示部を更に有することを特徴とする請求項１に記載の映像録画再生装置。
【請求項３】
前記制御部は、前記表示部に、前記ＣＭが全て視聴済の場合、前記本編を縮小表示する領域と前記ＣＭを静止画表示する領域とを合わせた全画面表示領域に、前記本編を表示させることを特徴とする請求項２に記載の映像録画再生装置。
【請求項４】
前記記憶部に記憶した前記番組のストリームを外部メディアに出力する外部メディア出力部を
更に有することを特徴とする請求項１乃至３に記載の映像録画再生装置。
【請求項５】
前記表示手段は、前記ＣＭが全て視聴済の場合、前記本編を縮小表示する領域と前記ＣＭを静止画表示する領域とを合わせた全画面表示領域に、前記本編を表示することを特徴とする請求項１に記載の映像録画再生装置。
【請求項６】
前記記憶手段により記憶された前記番組のストリームを外部メディアに出力する外部メディア出力手段を
更に有することを特徴とする請求項５に記載の映像録画再生装置。
【発明の詳細な説明】
【技術分野】
【０００１】
本発明は、テレビ番組等の映像を録画、再生及び編集する機能を有する映像録画再生装置に関する。
【背景技術】
【０００２】
近年、テレビ番組等の映像を録画する際に、広告（以降、ＣＭとする）と番組本編とを識別する機能を持ち、番組本編だけを選択的に録画、再生可能な録画装置（以降、録画再生装置とする）が提案されている（例えば、特許文献１参照）。こうした録画再生装置は、視聴者にとっては視聴対象の本編のみを視聴することができるので便利である。一方、ＣＭを提供する企業にとっては、視聴者にＣＭが視聴され難くなるため、ＣＭの効果が薄れるという問題がある。
【先行技術文献】
【特許文献】
【０００３】
【特許文献１】特開２００３−３１９３１４号公報
【発明の概要】
【発明が解決しようとする課題】
【０００４】
本発明は、テレビ番組等の映像を録画する際に、番組本編のみを選択的に録画、再生する際に、少なくとも一度はＣＭを視聴することを義務付けることが可能な映像録画再生装置を提供することにある。
【課題を解決するための手段】
【０００５】
本発明の一態様によれば、番組のストリームを受信するチューナと、前記チューナから送られる前記番組のストリームの中の、ＣＭの開始及び終了位置にチャプター点を付加して録画する録画部と、前記チャプター点を付して録画した前記番組のストリームを記憶する記憶部と、前記番組中の前記ＣＭを視聴済か否かの状況をＣＭ管理テーブルで管理するＣＭ視聴管理部と前記ＣＭ管理テーブルをもとに、前記記憶部に記憶された前記番組のストリームのうち、前記番組の本編と、前記ＣＭのうち未視聴のＣＭとを、選択的に再生して出力する再生部と、前記録画部、前記ＣＭ視聴管理部及び前記再生部を制御する制御部とを有することを特徴とする映像録画再生装置が提供される。
【発明の効果】
【０００６】
本発明によれば、テレビ番組等の映像を録画する際に、番組本編のみを選択的に録画、再生する際に、少なくとも一度はＣＭを視聴することを可能とする映像録画再生装置を提供することが可能になる。
【図面の簡単な説明】
【０００７】
【図１】本発明の第１の実施の形態の映像録画再生装置の構成図である。
【図２】本発明の第１の実施の形態の動作フロー図である。
【図３】本発明の第１の実施の形態のチャプター点の説明図である。
【図４】本発明の第１の実施の形態のＣＭ管理テーブルの図である。
【図５】本発明の第１の実施の形態の動作フロー図である。
【図６】本発明の第１の実施の形態の動作フロー図である。
【図７】本発明の第２の実施の形態の映像録画再生装置の構成図である。
【図８】本発明の第２の実施の形態の動作フロー図である。
【発明を実施するための形態】
【０００８】
以下、本発明の実施例について図面を参照して説明する。なお、図中、同一または相当部分には同一の符号を付して、その説明は繰り返さない。
（第１の実施の形態）
【０００９】
まず、本実施の形態の映像録画再生装置１０の構成について、図１を参照して説明する。本実施の形態の映像録画再生装置１０は、アンテナ１を介してテレビ番組の信号（番組のストリーム）を受信するチューナ１１、チューナ１１から送られる番組のストリームの中のＣＭの開始／終了をＣＭ検出部１２ａで検知し、後述のチャプター点を付加して録画する録画部１２、録画した番組のストリームを記憶する記憶部１３、視聴者からの操作信号が入力される入力部１４、番組中のＣＭを視聴したか否かの状況をＣＭ管理テーブル１６ａで管理するＣＭ視聴管理部１６、入力部１４からの操作信号及び、ＣＭ管理テーブル１６ａを、自身のＣＭ管理テーブル１５ａにコピーし、そのＣＭ管理テーブル１５ａをもとに、記憶部１３に記憶された番組のストリームのうち、番組の本編のストリームと未視聴のＣＭのストリームとを適宜再生して外部に表示させる再生部１５から構成される。更に、図１には再生部１５からの表示出力を受けて、本編縮小表示領域２０ａ及び、複数のＣＭ静止画表示領域２０ｂを有する表示部２０が示されている。
【００１０】
次に、本実施の形態の映像録画再生方法の動作フローのうち、録画対象のテレビ番組を録画する際の動作フローについて、図２を参照して説明する。ここで、番組とは、例えばテレビ番組の本編と、その本編の間に適宜挿入されるＣＭとを合わせたものをいう。なお、本動作の制御は、図１の制御部５０が司っている。
【００１１】
まず、ステップＳ１で、録画対象のテレビ番組の番組ＩＤをＣＭ視聴管理部１６のＣＭ管理テーブル１６ａに作成する。なお、この番組ＩＤは、受信したテレビ番組の信号に付加されている信号を使用してもよい。次に、ステップＳ２で、録画部１２のＣＭ検出部１２ａでＣＭの開始／終了を検出し、受信中の番組のストリームにチャプター点を都度付加する。ステップＳ３でチャプター点が付加された番組のストリームを記憶部３に記憶する。ここで、チャプター点とは、図３に示すように、番組本編の冒頭、ＣＭの開始点及びＣＭの終了点の各信号の位置であり、ＣＭの開始点及びそのＣＭの終了点は一対で構成される。ここで、ＣＭ開始及び終了の検出は、予め番組のストリームに付加されているＣＭ開始／終了の信号を利用して検出しても構わないし、音声信号が、例えばモノラル信号からステレオ信号に変わったり、ステレオからモノラルに変わったりしたタイミングを利用して検出しても構わない。
【００１２】
そして、ステップＳ３で番組のストリームを記憶部３に記録する際に、ステップＳ４でＣＭ開始を検出すると、ステップＳ５でＣＭＩＤをＣＭ管理テーブル１６ａに作成する。このＣＭＩＤは、番組中のＣＭ毎にそれぞれ異なったＩＤが作成される。例えば、図４（ａ）では、番組ＩＤ「Ａ」の記録をする際に、ＣＭＩＤ「ａ、ｂ、ｃ、ｄ」が付与されている。そして、ステップＳ６でＣＭ視聴管理部１６のＣＭ管理テーブル１６ａに、ステップＳ５で作成したＣＭＩＤのＣＭを視聴済か否かを記録し、ステップＳ２に戻る。そして、上記と同様に、ステップＳ３を処理し、ステップＳ４でＣＭ開始を検出しない場合（例えば、すでにＣＭ開始を検出済で、かつ、そのＣＭが継続中の場合）、ステップＳ７でＣＭ終了を検出したか否かを判断する。
【００１３】
以上のステップＳ２からステップＳ７までの動作を、ＣＭ終了を検出するまで繰り返し、ステップＳ７でＣＭ終了を検出すると、ステップＳ８で番組が終了か否かを判断する。そして、番組が終了であれば、本動作を終了し、番組がまだ終了していなければ、ステップＳ２に戻り、以上の動作を繰り返す。以上により、録画対象のテレビ番組が録画される。
【００１４】
次に、視聴者が録画したテレビ番組を再生する際の動作について、図５及び図６を参照して説明する。本動作は、二つに分けられる。一つは、図５に示すように、視聴者が、録画された番組を選択して再生する場合の動作であり、もう一つは、図６に示すように、視聴者が、録画された番組内のＣＭのみを選択して再生する場合の動作である。
【００１５】
まず、視聴者が録画された番組を選択して再生する動作について図５を参照して説明する。ステップＳ１１で視聴者が録画された番組を視聴選択することにより、その選択された番組の番組ＩＤが入力部１４に入力され、ステップＳ１２で入力部１４から再生部１５にその番組ＩＤが通知される。そして、ステップＳ１３で記憶部１３はその番組ＩＤに該当する番組のストリームを再生部１５へ送る。
【００１６】
次に、ステップＳ１４で、再生部１５は取得した番組のストリームのうち、ＣＭのストリームを除いた本編のストリームのみを抽出したストリームを作成する。次に、ステップＳ１５で、再生部１５はＣＭ視聴管理部１６のＣＭ管理テーブル１６ａを、自身のＣＭ管理テーブル１５ａにコピーする。
【００１７】
そして、ステップＳ１６で再生部１５はＣＭ管理テーブル１５ａを参照して未視聴のＣＭの有無を判断する。未視聴のＣＭがある場合は、ステップＳ１７で、表示部２０で本編を再生する際に、表示部２０の本編縮小表示領域２０ａに、解像度を縮小した本編を再生し、ＣＭ静止画表示領域２０ｂに、該当する未視聴ＣＭの動画から生成した静止画（以降、ＣＭサムネイルとする）を表示する。ＣＭサムネイルは一つの場合もあれば複数の場合もある。一方、ステップＳ１６で未視聴ＣＭが無いと判断された場合は、ステップＳ１８で、本編縮小表示領域２０ａ及びＣＭ静止画表示領域２０ｂを合わせた領域である全画面表示領域で本編を再生する。
【００１８】
次に、視聴者が録画された番組内のＣＭのみを選択して再生する場合の動作について図６を参照して説明する。本動作は、上記ステップＳ１７で未視聴のＣＭのＣＭサムネイルが表示された時に、視聴者が未視聴のＣＭを視聴する際の動作である。
【００１９】
まず、ステップＳ２１で本編縮小表示領域２０ａで本編が縮小表示され、かつＣＭ静止画表示領域２０ｂでそれぞれＣＭサムネイルが表示されている状態で、ステップＳ２２で視聴者が一つのＣＭサムネイルを選択すると、ステップＳ２３で、入力部１４はそのＣＭサムネイルのＣＭＩＤを再生部１５に送る。そして、ステップＳ２４で、再生部１５は、そのＣＭＩＤのＣＭのストリームを、記憶部１３から取得し、ステップＳ２５で、表示部２０でそのＣＭを全画面表示領域で表示する。そして、ステップＳ２６で、そのＣＭが最後まで再生されたか否か、つまり、そのＣＭのＣＭ終了のチャプター点まで再生したか否かを判断する。
【００２０】
そして、最後まで再生された場合には、再生部１５は、ステップＳ２７で自身のＣＭ管理テーブル１５ａの該当ＣＭを視聴済にし、ステップＳ２８で、そのＣＭ管理テーブル１５ａをＣＭ管理部１６のＣＭ管理テーブル１６ａに上書きする。これにより、図４（ｂ）のように、ＣＭ管理部１６のＣＭ管理テーブル１６ａが更新される。そして、ステップＳ２９で、未視聴のＣＭの有無を判断し、未視聴のＣＭがまだあれば、ステップＳ３０で未視聴のＣＭのＣＭサムネイルをＣＭ表示領域２０ｂに再配置し、ステップＳ２１に戻る。
【００２１】
一方、ステップＳ２６でＣＭが最後まで再生されたと判断されなかった場合、ステップＳ３０で再度、本編の縮小再生及び当該ＣＭを含めたＣＭのＣＭサムネイルの表示を行う。
【００２２】
以上のステップ２１からステップＳ３０までの動作を、未視聴のＣＭが無くなるまで繰り返すことで、未視聴のＣＭが全て無くなると、本編を全画面表示することが可能となる。
【００２３】
なお、再生部１５のＣＭ管理テーブル１５ａは設けなくてもよく、その場合は、再生部１５はＣＭ管理部１６のＣＭ管理テーブル１６ａを参照、及び更新するものとする。
【００２４】
このように、本実施の形態では、視聴者は番組の本編をＣＭにより中断されることなく連続的に視聴することが可能である。その際、ＣＭを視聴していない場合は本編は縮小表示されるが、本編を視聴する前にＣＭを全て視聴しておけば、全画面表示領域で本編を視聴することができる。言い換えると、ＣＭをすべて視聴しないと、全画面表示で本編を再生することができないため、全画面表示領域で本編を視聴したい視聴者に対し、確実にＣＭを視聴させることができる。これにより、ＣＭを提供する企業にとって、視聴者により確実にＣＭが視聴させることができるため、ＣＭの効果が向上する。
（第２の実施の形態）
【００２５】
次に、第２の実施の形態について図７及び８を参照して説明する。図７に示すように、本実施の形態は、第１の実施の形態の構成に加え、外部メディア３０に番組のストリームを出力する外部メディア出力部１７を更に設けている。なお、第１の実施の形態と同様の構成については説明を省略する。
【００２６】
外部メディア出力部１７は、例えばＤＶＤなどの外部メディア１８に、番組のストリームを書き込むための出力部である。その際、番組中の全てのＣＭを視聴済であれば、本編のストリームのみを外部メディアに書き込むことができ、一方、番組中の全てのＣＭをまだ視聴していなければ、本編とＣＭのストリームとを外部メディアに書き込む。
【００２７】
本実施の形態の動作フローについて、図８を参照して説明する。まず、ステップＳ４１で、視聴者が外部メディアへの書き込み操作を実行すると、ステップＳ４２で入力部１４がその操作信号を受け、外部メディア出力部１７に通知する。そして、ステップＳ４３で外部メディア出力部１７がＣＭ視聴管理部１６のＣＭ管理テーブル１６ａを参照する。外部メディア出力部１７は、そのＣＭ管理テーブル１６ａの参照した結果、ステップＳ４４で、未視聴のＣＭの有無を判断する。そして、ＣＭ管理テーブル１６ａに未視聴のＣＭが無ければ、番組中の全てのＣＭを視聴済と判断し、ステップＳ４５で本編のみのストリームを外部メディア１８に出力する。
【００２８】
一方、ステップＳ４４で未視聴のＣＭがあると判断されると、ステップＳ４６で本編及びＣＭのストリームを外部メディア１８に記録する。なお、この際、記録する対象のＣＭのストリームは、未視聴のＣＭのストリームだけでもよいし、全ＣＭのストリームでもよい。
【００２９】
このように、本実施の形態では、全てのＣＭを視聴した場合は、本編のストリームのみを外部メディアに記録することができるので、その外部メディアを視聴する際は、視聴者は番組の本編をＣＭにより中断されることなく連続的に視聴することが可能である。
【００３０】
また、全てのＣＭを視聴していない場合は、本編及びＣＭのストリームが外部メディアに記録されるので、外部メディアを視聴する視聴者に対して、確実にＣＭを視聴させることができる。これにより、ＣＭを提供する企業にとって、ＣＭの効果が向上する。
【００３１】
なお、本発明は以上の実施の形態に限られるものではない。
【符号の説明】
【００３２】
１  アンテナ
１０  映像録画再生装置
１１  チューナ
１２  録画部
１２ａ  ＣＭ検出部
１３  記憶部
１４  入力部
１５  再生部
１５ａ、１６ａ  ＣＭ管理テーブル
１６  ＣＭ視聴管理部
１７  外部メディア出力部
１８  外部メディア
２０  表示部
２０ａ  本編縮小表示領域
２０ｂ  ＣＭ静止画表示領域
【図１】
2011066572.tif 000003
【図２】
2011066572.tif 000004
【図３】
2011066572.tif 000005
【図４】
2011066572.tif 000006
【図５】
2011066572.tif 000007
【図６】
2011066572.tif 000008
【図７】
2011066572.tif 000009
【図８】
2011066572.tif 000010